(57)【要約】【課題】冷蔵庫に関する情報を簡単に入手できる提示装置を提供する。【解決手段】冷蔵庫６に収納した食品の冷却時間を食品の種類毎にサーバ２が記憶し、サーバ２は、冷蔵庫６に収納する食品の種類を含む収納情報を受信し、受信した収納情報に含まれる食品の種類に対応した冷却時間を呼び出し、呼び出した冷却時間をスマートフォン４に送信する。【選択図】      図１
2014142142.tif 000002
【特許請求の範囲】
【請求項１】
冷蔵庫に収納した食品が収納した時から適温に冷却されるまでの冷却時間を、前記食品の種類毎に記憶した記憶部と、
前記冷蔵庫に収納する食品の種類を含む収納情報を取得する取得部と、
取得した前記収納情報に含まれる前記食品の種類に対応した前記冷却時間を前記記憶部から呼び出す制御部と、
呼び出した前記冷却時間を提示する提示部と、
を有する提示装置。
【請求項２】
前記提示装置がサーバであり、
前記取得部が前記収納情報を受信する受信部であり、
前記提示部が前記冷却時間に関する情報を送信する送信部である、
請求項１記載の提示装置。
【請求項３】
前記サーバには、クライアントが通信回線を介して接続され、
前記クライアントは、
前記サーバへ前記収納情報を送信すると共に前記冷却時間を受信するクライアント通信部と、
受信した前記冷却時間を表示する表示部と、
を有する請求項２記載の提示装置。
【請求項４】
前記提示装置が情報処理装置であり、
前記取得部が前記収納情報を入力する入力部であり、
前記提示部が前記冷却時間を出力する出力部である、
請求項１記載の提示装置。
【請求項５】
前記提示部は、前記冷却時間を、収納した前記食品が適温になるまでの残り時間に変換して提示する、
請求項１乃至４のいずれか一項に記載の提示装置。
【請求項６】
前記収納情報には、前記冷蔵庫の機種名も含まれ、
前記記憶部は、前記食品の種類毎の前記冷却時間を、前記冷蔵庫の機種名毎に記憶している、
請求項１乃至５のいずれか一項に記載の提示装置。
【請求項７】
前記収納情報には、前記冷蔵庫の動作設定情報も含まれ、
前記制御部は、前記冷却時間を前記動作設定情報に対応して補正する、
請求項１乃至６のいずれか一項に記載の提示装置。
【請求項８】
前記取得部は、前記冷蔵庫に収納する前記食品の画像を取得し、前記画像を解析してに前記食品の種類を判断する、
請求項１記載の提示装置。
【請求項９】
前記クライアントが、スマートフォン、携帯電話、又は、パソコンである、
請求項３記載の提示装置。
【請求項１０】
前記情報処理装置が、スマートフォン、携帯電話、又は、パソコンである、
請求項４記載の提示装置。
【発明の詳細な説明】
【技術分野】
【０００１】
本発明の実施形態は、冷蔵庫の情報を提示する提示装置に関するものである。
【背景技術】
【０００２】
従来、冷蔵庫においては、製氷時間や飲料水の冷却時間などをユーザに知らせる場合には、冷蔵庫の扉に設けられた表示装置に表示を行なったり、ブザーの音により知らせる。
【０００３】
また、最近の冷蔵庫においては、冷蔵庫をネットワークに組み込んで、携帯端末などで動作設定状態を閲覧できるシステムも提案されている。
【先行技術文献】
【特許文献】
【０００４】
【特許文献１】特開２００９−２１７６７１号公報
【特許文献２】特開２００８−２７５２７６号公報
【発明の概要】
【発明が解決しようとする課題】
【０００５】
しかし、扉に情報を表示する冷蔵庫においては、ユーザが冷蔵庫の近くにいないと情報を得ることができないという問題点があった。
【０００６】
また、ネットワークに冷蔵庫を組み込む場合には、冷蔵庫に特別な通信装置などが必要であってコストが上昇するという問題点があった。
【０００７】
そこで、本発明の実施形態は、上記問題点に鑑み、冷蔵庫に関する情報を、ユーザが簡単に入手できる提示装置を提供することを目的とする。
【課題を解決するための手段】
【０００８】
本発明の実施形態は、冷蔵庫に収納した食品が収納した時から適温に冷却されるまでの冷却時間を、前記食品の種類毎に記憶した記憶部と、前記冷蔵庫に収納する食品の種類を含む収納情報を取得する取得部と、取得した前記収納情報に含まれる前記食品の種類に対応した前記冷却時間を前記記憶部から呼び出す制御部と、呼び出した前記冷却時間を提示する提示部と、を有する提示装置である。
【図面の簡単な説明】
【０００９】
【図１】一実施形態を示す提示システムの説明図である。
【図２】サーバとスマートフォンのブロック図である。
【図３】提示システムのフローチャートである。
【図４】分類テーブルの図である。
【図５】冷蔵室冷却時間テーブルの図である。
【図６】野菜室冷却時間テーブルの図である。
【図７】スマートフォンの設定画面例１の図である。
【図８】同じく設定画面例２の図である。
【図９】同じくカウント中の画面である。
【図１０】同じくカウント完了画面である。
【発明を実施するための形態】
【００１０】
以下、本発明の一実施形態の提示装置を有する提示システム１について、図１〜図１０に基づいて説明する。
【００１１】
（１）提示システム１の構成
提示システム１について図１及び図２に基づいて説明する。
【００１２】
提示システム１は、サーバ２、パソコン（以下、「ＰＣ」という）３、スマートフォン４より構成され、それぞれインターネット回線５を介して通信を行い、冷蔵庫６に関する情報を、提示装置であるサーバ２を用いて、クライアントであるＰＣ３又はスマートフォン４に提示する。以下の説明では、スマートフォン４に表示する場合について説明するが、ＰＣ３についても同様である。
【００１３】
（２）サーバ２
図２に示すように、サーバ２は、サーバ制御部２１、サーバ通信部２２、サーバ記憶部２３より構成されている。
【００１４】
サーバ通信部２２は、サーバ制御部２１の制御によって、インターネット回線５を介して、ＰＣ３やスマートフォン４とデータ通信を行なう。
【００１５】
サーバ記憶部２３は、冷蔵庫６に関する情報を記憶しているものであり、具体的には、図４に示す分類テーブル、図５に示す冷蔵室冷却時間テーブル（以下、単に「冷蔵テーブル」という）、図６に示す野菜室冷却時間テーブル（以下、単に「野菜テーブル」という）を記憶している。
【００１６】
図４に示す分類テーブルは、食品を冷却時間に分けて分類しているものであり、例えば分類Ａには、ビール３５０ｍｌ、ジュース缶３５０ｍｌなどが記憶され、分類Ｂにはビール５００ｍｌ、ジュース缶５００ｍｌなどが記憶され、分類Ｃには、舞茸、しいたけなどが記憶されている。この分類は、食品が常温から適温になるまでに冷却される時間によって分類したものであり、例えば分類Ａにおいては、常温から２℃〜３℃に冷却される冷却時間を基準に分類されている。なお、「適温」とは、食品を冷却して食べるのに最も適した温度を意味し、食品の分類毎に予め決定しておく。
【００１７】
図５に示す冷蔵テーブルは、冷蔵庫６の機種名毎に、分類Ａ、分類Ｂ、分類Ｃの各分類に含まれる食品を冷蔵室内に収納した場合の冷却時間が記憶されており、例えば分類Ａが３０分、分類Ｂが４０分などの冷却時間が記憶されている。
【００１８】
図６に示す野菜テーブルは、冷蔵庫６の機種名毎に、分類Ａ、分類Ｂ、分類Ｃの各分類に含まれる食品を野菜室内に収納した場合の冷却時間が記憶されており、例えば分類Ａが３５分、分類Ｂが４５分などの冷却時間が記憶されている。
【００１９】
サーバ制御部２１は、冷蔵庫６に収納された食品の収納情報をＰＣ３やスマートフォン４からサーバ通信部２２を介して受信し、この収納情報に基づいてサーバ記憶部２３から冷却時間を呼び出し、その後にサーバ通信部２２を介して再びＰＣ３やスマートフォン４にその冷却時間を送信する。「収納情報」には、冷蔵庫６の機種名、動作設定状態、食品の分類、種類及び収納場所の情報が含まれている。「分類」とは、飲料水、果物、野菜、肉などであり、上記したように食品が常温から適温になるまでに冷却される時間によって分類したものである。「種類」とは、分類された食品をさらに細かく分けた名称である。「動作設定状態」とは、冷蔵室、冷凍室などの各部屋の冷却モードの状態（強、中、弱）、製氷中であるか否か、急速冷凍中であるか否か、節電中であるか否かである。「収納場所」とは、食品を収納した冷蔵室、野菜室、冷凍室などである。
【００２０】
（３）スマートフォン４
図２に示すように、スマートフォン４は、サーバ２に対するクライアントであり、スマートフォン制御部４１、スマートフォン通信部４２、入力部４３、表示部４４より構成されている。なお、「スマートフォン」とは、インターネットとの親和性が高く、パソコンの機能をベースとして作られた多機能携帯電話を意味する。
【００２１】
スマートフォン制御部４１には、サーバ２から、冷蔵庫６に収納した食品が適温になるまでの冷却時間を表示する適温お知らせアプリケーションがダウンロードされている。そして、ユーザが、この適温お知らせアプリケーションに基づいて、冷蔵庫６に収納する食品に関する収納情報について入力部４３で入力し、スマートフォン通信部４２からサーバ２に送信する。また、サーバ２から送信された冷却時間に関する情報をスマートフォン通信部４２が受信し、スマートフォン制御部４１が表示部４４に表示を行なう。
【００２２】
（４）提示システム１の動作状態
提示システム１の動作状態について、図３〜図１０に基づいて説明する。図３は、処理の内容を示したフローチャートである。
【００２３】
ステップＳ１において、ユーザが冷蔵庫６に食品を収納する。本実施形態では、ユーザが冷蔵室に５００ｍｌのビール缶を収納した場合について説明する。そしてステップＳ２に進む。
【００２４】
ステップＳ２において、ユーザは、スマートフォン４を操作して適温お知らせアプリケーションを起動し、スマートフォン制御部４１は、図７に示す設定画面例１を表示部４４に表示してステップＳ３に進む。
【００２５】
ステップＳ３において、ユーザは、設定画面例１で冷蔵庫６の機種名を選択し、ステップＳ４に進む。
【００２６】
ステップＳ４において、ユーザは、設定画面例１で冷蔵庫６の動作設定状態を選択しステップＳ５に進む。この選択が終了するとスマートフォン制御部４１は、図８に示す設定画面例２に表示部４４の表示を切り替える。
【００２７】
ステップＳ５において、ユーザは、設定画面例２で収納した食品の分類を選択し、ステップＳ６に進む。ここでは、飲料水と選択する。
【００２８】
ステップＳ６において、ユーザは、設定画面例２で収納した食品の種類を選択し、ステップＳ７に進む。ここでは、ビール缶５００ｍｌと選択する。
【００２９】
ステップＳ７において、ユーザは、設定画面例２で食品を収納した収納場所（例えば、冷蔵室）を選択する。そしてユーザが、設定画面例２の開始ボタンを押すと、ステップＳ８に進む。
【００３０】
ステップＳ８において、スマートフォン４のスマートフォン通信部４２が、サーバ２に上記で選択した機種名、動作設定情報、分類、種類、収納場所を含む収納情報を送信する。そしてステップＳ９に進む。
【００３１】
ステップＳ９において、サーバ２のサーバ通信部２２がスマートフォン４から収納情報を受信し、ステップＳ１０に進む。
【００３２】
ステップＳ１０において、サーバ２のサーバ制御部２１が、受信した収納情報に基づいて冷却時間をサーバ記憶部２３から呼び出す。この場合には、収納情報における食品の分類、種類、機種名及び収納場所に基づいて、図４〜図６に示す各テーブルを検索し冷却時間を呼び出す。そしてステップＳ１１に進む。なお、冷蔵庫６の動作設定状態で急速冷凍や冷却機能が強になっている場合には、サーバ制御部２１は、呼び出した冷却時間に０．９をかけた冷却時間に補正をする。また、逆に冷却機能が弱になっている場合や節電モードになっている場合には、呼び出した冷却時間に１．１をかけて冷却時間を補正する。この係数は、予め設定しておき、強や急速冷凍モードなどの冷却性能が増大している場合には、１未満の係数をかけ、節電モードなどのように低下している場合には１より大きい値をかける。
【００３３】
ステップＳ１１において、サーバ制御部２１が、呼び出した冷却時間、又は、補正した冷却時間をスマートフォン４にサーバ通信部２２を用いて送信する。そしてステップＳ１２に進む。
【００３４】
ステップＳ１２において、スマートフォン４のスマートフォン通信部４２が、サーバ２から冷却時間を受信してステップＳ１３に進む。
【００３５】
ステップＳ１３において、スマートフォン制御部４１が、受信した冷却時間に基づいて、図９に示すように適温までの残り時間をカウントして表示する。そしてステップＳ１４に進む。
【００３６】
ステップＳ１４において、スマートフォン制御部４１は、冷却時間に到達すると、表示部４４に図１０に示すように「適温です」と表示し終了する。ユーザは、この表示が出て冷蔵庫６からビール缶を取り出すと、そのビール缶は最も飲み頃の温度に冷却された状態となっている。
【００３７】
また、ＰＣ３においても、同様に収納情報を入力し、冷却時間を表示できる。この場合には、適温お知らせアプリケーションをダウンロードするのでなく、インターネット回線５を用いてサーバ２にあるホームページを開いて、適温お知らせアプリケーションを操作する。
【００３８】
（５）効果
以上により本実施形態によると、ユーザはＰＣ３やスマートフォン４において冷蔵庫６の機種名、動作設定状態、食品の分類、種類、収納場所を選択すると、ユーザはＰＣ３やスマートフォン４を見るだけで、収納した食品が適温に冷却される時間を知ることができる。
【００３９】
すなわち、従来、常温の飲料水を冷蔵庫に収納しても適温まで冷える時間がユーザにはわかり難かった。また、冷蔵庫が近年多機能化し、急速冷凍の機能を備えるものが多くなり、この機能を用いて野菜を急速冷凍することがある。そして、急速冷凍された野菜を加熱調理すると早く柔らかくなったり、味が染み込み易くなったりするので、ユーザは調理の下準備として、この機能を用いることが多い。そのため、ユーザはその野菜の急速冷凍がいつ完了したかを知りたいというニーズも高まってきている。したがって、ＰＣ３やスマートフォン４で、食品が適温になったときをユーザに知らせることにより、ユーザはすぐに適温まで冷却された食品を調理できる。
【００４０】
（６）変更例
次に、上記実施形態の変更例について説明する。
【００４１】
上記実施形態では、サーバ２に冷却時間を記憶させていたが、これに限らずＰＣ３やスマートフォン４を情報処理装置として、その内部に食品の分類毎に冷却時間を記憶させておけば、インターネット回線５が無い状態でも適温になるまでの冷却時間を知ることができる。
【００４２】
また、上記実施形態では、適温になるまでの時間をスマートフォン４においてカウントしたが、これに代えてサーバ２でカウントしてもよい。
【００４３】
また、上記実施形態では、冷蔵庫６の機種名や動作設定状態をユーザが入力したが、冷蔵庫６が通信機能を有し、自己の機種名や動作設定状態を外部に送信できる場合には、この送信した内容と、ユーザが収納した食品の分類に基づいて冷却時間をサーバ２が決定してもよい。この場合には、ユーザが、冷蔵庫６の機種名を選択したりする手間を省くことができる。
【００４４】
また、上記実施形態では、冷却状態を動作設定状態として送信したが、これに限らず庫内温度や外気温度などの各種センサや各機能の稼働状態などの情報を収納情報に含ませて送信してもよい。サーバ２は、それに基づいて冷却時間の補正を行なうことにより、適温になるまでの時間の算出精度をより高めることができる。
【００４５】
また、上記実施形態では、冷蔵庫６の機種名などをユーザが選択したが、これに代えて、機種名や動作設定状態を冷蔵庫の表示装置にＱＲコードやバーコードで表示し、その表示をスマートフォン４のカメラで撮影して、それに基づいて機種名や動作設定状態をサーバ２に送信してもよい。これにより、ユーザの入力作業を簡略化できる。
【００４６】
また、上記実施形態では、ユーザが食品の分類や種類を選択したが、これに代えて、スマートフォン４のカメラで収納する食品を撮影し、スマートフォン４又はサーバ２でその撮影した画像を解析して、収納した食品を判別してもよい。これにより、ユーザの入力作業を簡略化できる。
【００４７】
また、上記実施形態では、ＰＣ３、スマートフォン４で説明したが、これに代えて携帯電話に適用してもよい。
【００４８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４９】
１・・・提示システム、２・・・サーバ、３・・・ＰＣ、４・・・スマートフォン、５・・・インターネット回線、６・・・冷蔵庫、２１・・・サーバ制御部、２２・・・サーバ通信部、２３・・・サーバ記憶部、４１・・・スマートフォン制御部、４２・・・スマートフォン通信部、４３・・・入力部、４４・・・表示部
【図１】
2014142142.tif 000003
【図２】
2014142142.tif 000004
【図３】
2014142142.tif 000005
【図４】
2014142142.tif 000006
【図５】
2014142142.tif 000007
【図６】
2014142142.tif 000008
【図７】
2014142142.tif 000009
【図８】
2014142142.tif 000010
【図９】
2014142142.tif 000011
【図１０】
2014142142.tif 000012